(57)【特許請求の範囲】
【請求項１】
履歴期間内で動的トラフィックが動的スケジューリングにより生成して累積した動的トラフィック統計情報を取得するステップと、
前記動的トラフィック統計情報が所定の閾値を超えるか否かを判断し、超える場合、現在の期間内で半永続スケジューリングを採用せずにリソースを割り当て、超えない場合、現在の期間内で半永続スケジューリングを採用してリソースを割り当てるステップと、を含む
半永続スケジューリングの制御方法。
【請求項２】
前記動的トラフィック統計情報は、動的スケジューリング新伝送回数、及び動的スケジューリング新伝送トラフィックデータ量のうちの少なくとも１つを含み、
前記履歴期間内で動的トラフィックが動的スケジューリングにより生成して累積した動的トラフィック統計情報を取得するステップは、具体的に、
前記現在の期間に隣接する１つ前の履歴期間内で動的トラフィックが動的スケジューリングにより生成して累積した動的トラフィック統計情報を取得するステップを含む
請求項１に記載の半永続スケジューリングの制御方法。
【請求項３】
前記動的トラフィック統計情報が所定の閾値を超えるか否かを判断するステップは、具体的に、下記の方法のうちの１つを含み、
前記動的スケジューリング新伝送回数を取得した場合、前記動的スケジューリング新伝送回数が所定の第１の閾値を超えるか否かを判断する方法、
前記動的スケジューリング新伝送トラフィックデータ量を取得した場合、前記動的スケジューリング新伝送トラフィックデータ量が所定の第２の閾値を超えるか否かを判断する方法、並びに
前記動的スケジューリング新伝送回数及び前記動的スケジューリング新伝送トラフィックデータ量を取得した場合、その判断方法は、
前記動的スケジューリング新伝送回数が所定の第１の閾値を超えるか否かのみを判断する方法、
前記動的スケジューリング新伝送トラフィックデータ量が所定の第２の閾値を超えるか否かのみを判断する方法、及び
前記動的スケジューリング新伝送回数が所定の第１の閾値を超えるか否かも判断し、前記動的スケジューリング新伝送トラフィックデータ量が所定の第２の閾値を超えるか否かも判断する方法のうちの１つを含む
請求項２に記載の半永続スケジューリングの制御方法。
【請求項４】
前記履歴期間内で半永続スケジューリング状態がすでに活性化された場合、前記超える場合、現在の期間内で半永続スケジューリングを採用せずにリソースを割り当て、超えない場合、現在の期間内で半永続スケジューリングを採用してリソースを割り当てるステップは、具体的に、
超える場合、前記現在の期間内で前記半永続スケジューリング状態を非活性化させ、半永続スケジューリングリソースを解放し、動的スケジューリングを採用してリソースを割り当て、超えない場合、前記現在の期間内で前記半永続スケジューリング状態を保持し、半永続スケジューリングを採用してリソースを割り当てるステップを含む
請求項１〜３のいずれか１項に記載の半永続スケジューリングの制御方法。
【請求項５】
前記履歴期間内で半永続スケジューリング状態が活性化されていない場合、前記超える場合、現在の期間内で半永続スケジューリングを採用せずにリソースを割り当て、超えない場合、現在の期間内で半永続スケジューリングを採用してリソースを割り当てるステップは、具体的に、
超える場合、前記現在の期間内で前記半永続スケジューリング状態を活性化させず、動的スケジューリングを採用してリソースを割り当て、超えない場合、前記現在の期間内で前記半永続スケジューリング状態を活性化させ、半永続スケジューリングを採用してリソースを割り当てるステップを含む
請求項１〜３のいずれか１項に記載の半永続スケジューリングの制御方法。
【請求項６】
履歴期間内で動的トラフィックが動的スケジューリングにより生成して累積した動的トラフィック統計情報を取得する情報取得モジュールと、
前記情報取得モジュールが取得した動的トラフィック統計情報が所定の閾値を超えるか否かを判断する情報判断モジュールと、
前記情報判断モジュールが超えると判断する場合、現在の期間内で半永続スケジューリングを採用せずにリソースを割り当て、超えないと判断する場合、現在の期間内で半永続スケジューリングを採用してリソースを割り当てるスケジューリング制御モジュールと、を備える
半永続スケジューリングの制御装置。
【請求項７】
前記動的トラフィック統計情報は、動的スケジューリング新伝送回数、及び動的スケジューリング新伝送トラフィックデータ量のうちの少なくとも１つを含み、
前記情報取得モジュールは、前記現在の期間に隣接する１つ前の履歴期間内で動的トラフィックが動的スケジューリングにより生成して累積した動的トラフィック統計情報を取得するように配置される
請求項６に記載の半永続スケジューリングの制御装置。
【請求項８】
前記情報判断モジュールは、前記情報取得モジュールが前記動的スケジューリング新伝送回数を取得する場合、前記動的スケジューリング新伝送回数が所定の第１の閾値を超えるか否かを判断するように配置され、
前記情報判断モジュールは、前記情報取得モジュールが前記動的スケジューリング新伝送トラフィックデータ量を取得する場合、前記動的スケジューリング新伝送トラフィックデータ量が所定の第２の閾値を超えるか否かを判断するように配置され、
前記情報判断モジュールは、前記情報取得モジュールが前記動的スケジューリング新伝送トラフィックデータ量及び前記動的スケジューリング新伝送トラフィックデータ量を取得する場合、前記動的スケジューリング新伝送回数が所定の第１の閾値を超えるか否かのみを判断したり、前記動的スケジューリング新伝送トラフィックデータ量が所定の第２の閾値を超えるか否かのみを判断したり、前記動的スケジューリング新伝送回数が所定の第１の閾値を超えるか否かも判断し、前記動的スケジューリング新伝送トラフィックデータ量が所定の第２の閾値を超えるか否かも判断したりするように配置される
請求項７に記載の半永続スケジューリングの制御装置。
【請求項９】
前記履歴期間内で半永続スケジューリング状態がすでに活性化された場合、前記スケジューリング制御モジュールは、前記情報判断モジュールが超えると判断する場合、前記現在の期間内で半永続スケジューリング状態を非活性化させ、半永続スケジューリングリソースを解放し、動的スケジューリングを採用してリソースを割り当て、超えないと判断する場合、前記スケジューリング制御モジュールは、前記現在の期間内で前記半永続スケジューリング状態を保持し、半永続スケジューリングを採用してリソースを割り当てる
請求項６〜８のいずれか１項に記載の半永続スケジューリングの制御装置。
【請求項１０】
前記履歴期間内で半永続スケジューリング状態が活性化されていない場合、前記スケジューリング制御モジュールは、前記情報判断モジュールが超えると判断する場合、前記現在の期間内で前記半永続スケジューリング状態を活性化させず、動的スケジューリングを採用してリソースを割り当て、超えないと判断する場合、前記現在の期間内で前記半永続スケジューリング状態を活性化させ、半永続スケジューリングを採用してリソースを割り当てる
請求項６〜８のいずれか１項に記載の半永続スケジューリングの制御装置。
【発明の詳細な説明】
【技術分野】
【０００１】
本発明は、無線通信システム分野に関し、特に半永続スケジューリングの制御方法及び装置に関する。
【背景技術】
【０００２】
現在、移動通信システムにおいては、一般的に共有型リソース割り当てスケジューリング方法を採用しており、その利点は無線通信リソースを最大限に利用できることにある。このようなスケジューリング方法について、従来の回線交換ドメインの音声トラフィックがすでに除去され、その代わりにデータドメインのＶｏＩＰ（Ｖｏｉｃｅ  ｏｖｅｒ  Ｉｎｔｅｒｎｅｔ  Ｐｒｏｔｏｃｏｌ、ネットワーク電話）トラフィックがある。しかし、音声ユーザの人数が往々にして比較的膨大であるため、共有型リソース割り当て方法によれば、伝送するたびに関連した制御情報を送信する必要があるので、制御情報のオーバーヘッドが大きすぎる。このようなパケットサイズが比較的固定化され、且つ着信時間間隔が一定の規則を満たすリアルタイムトラフィックに対して、半永続スケジューリング技術を採用することで、制御情報のオーバーヘッドを効果的に低減させることができる。
【０００３】
ＳＰＳ（Ｓｅｍｉ−Ｐｅｒｓｉｓｔｅｎｃｅ  Ｓｃｈｅｄｕｌｉｎｇ、半永続スケジューリング）は、特定のトラフィックのために設計した一定時刻で予め割り当てされたリソースを利用し、他の時刻で動的スケジューリング（再送）メカニズムを採用するスケジューリング方法である。具体的には、半永続スケジューリングが活性化された後、ペイロードサイズが一定である、周期性のトラフィックに適応されるように、指定されたリソースブロックが指定されたユーザに周期的に割り当てられ、これによって、リソースの割当てや指示等の情報によるシステムオーバーヘッドを減少することを達成し、半永続スケジューリングにおいてデータの再送には動的スケジューリングの方法を採用する。一般的に、ＶｏＩＰトラフィックのパケットのサイズが比較的固定し、且つ一定の規則の周期性を有するため、比較的半永続スケジューリングに合致する。
【発明の概要】
【発明が解決しようとする課題】
【０００４】
ＬＴＥ（Ｌｏｎｇ  Ｔｅｒｍ  Ｅｖｏｌｕｔｉｏｎ、ロングタームエボリューションシステム）システムにおいて、ユーザ装置にＶｏＩＰトラフィックのみがある場合、又は、ＶｏＩＰトラフィック以外に、少量の非ＶｏＩＰトラフィックもある場合、ＳＰＳスケジューリングを採用することで、スケジューリングの目的をよく達成することができ、また大量のＰＤＣＣＨ（Ｐｈｙｓｉｃａｌ  Ｄｏｗｎｌｉｎｋ  Ｃｏｎｔｒｏｌ  Ｃｈａｎｎｅｌ、下り物理制御チャネル）リソースを節約する。しかし、ユーザ装置にＶｏＩＰトラフィックのみがあるのではなく、他の大量の動的スケジューリングトラフィックもある場合には、ＳＰＳスケジューリングを採用する必要はない。動的トラフィックデータ量が比較的多いため、動的スケジューリングが比較的頻繁であり、したがって、ＰＤＣＣＨの節約程度が予想ほど優れてなく、またシステムの複雑性を増加させて、ＶｏＩＰトラフィックと非ＶｏＩＰトラフィックとの間でスケジューリングアルゴリズムの切り替えを行う必要がある。
【課題を解決するための手段】
【０００５】
本発明によれば、従来技術に提供された通信システムには常に動的スケジューリングが採用されるため、リソースの無駄をもたらし、システムオーバーヘッドが大きすぎる問題を少なくとも解決するための半永続スケジューリングの制御方法及び装置が提供される。
【０００６】
本発明によれば、上記技術問題を解決するための半永続スケジューリングの制御方法が提供され、前記方法は、履歴期間内で動的トラフィックが動的スケジューリングにより生成して累積した動的トラフィック統計情報を取得するステップと、前記動的トラフィック統計情報が所定の閾値を超えるか否かを判断し、超える場合、現在の期間内で半永続スケジューリングを採用せずにリソースを割り当て、超えない場合、現在の期間内で半永続スケジューリングを採用してリソースを割り当てるステップと、を含む。
【０００７】
本発明の一実施例において、前記動的トラフィック統計情報は、動的スケジューリング新伝送回数、及び動的スケジューリング新伝送トラフィックデータ量のうちの少なくとも１つを含み、前記履歴期間内で動的トラフィックが動的スケジューリングにより生成して累積した動的トラフィック統計情報を取得するステップは、具体的に、前記現在の期間に隣接する１つ前の履歴期間内で動的トラフィックが動的スケジューリングにより生成して累積した動的トラフィック統計情報を取得するステップを含む。
【０００８】
本発明の一実施例において、前記動的トラフィック統計情報が所定の閾値を超えるか否かを判断するステップは、具体的に、下記の方法のうちの１つを含み、前記動的スケジューリング新伝送回数を取得した場合、前記動的スケジューリング新伝送回数が所定の第１の閾値を超えるか否かを判断する方法、前記動的スケジューリング新伝送トラフィックデータ量を取得した場合、前記動的スケジューリング新伝送トラフィックデータ量が所定の第２の閾値を超えるか否かを判断する方法、並びに前記動的スケジューリング新伝送回数及び前記動的スケジューリング新伝送トラフィックデータ量を取得した場合、その判断方法は、前記動的スケジューリング新伝送回数が所定の第１の閾値を超えるか否かのみを判断する方法、前記動的スケジューリング新伝送トラフィックデータ量が所定の第２の閾値を超えるか否かのみを判断する方法、及び前記動的スケジューリング新伝送回数が所定の第１の閾値を超えるか否かも判断し、前記動的スケジューリング新伝送トラフィックデータ量が所定の第２の閾値を超えるか否かも判断する方法のうちの１つを含む。
【０００９】
本発明の一実施例において、前記履歴期間内で半永続スケジューリング状態がすでに活性化された場合、前記超える場合、現在の期間内で半永続スケジューリングを採用せずにリソースを割り当て、超えない場合、現在の期間内で半永続スケジューリングを採用してリソースを割り当てるステップは、具体的に、超える場合、前記現在の期間内で前記半永続スケジューリング状態を非活性化させ、半永続スケジューリングリソースを解放し、動的スケジューリングを採用してリソースを割り当て、超えない場合、前記現在の期間内で前記半永続スケジューリング状態を保持し、半永続スケジューリングを採用してリソースを割り当てるステップを含む。
【００１０】
本発明の一実施例において、前記履歴期間内で半永続スケジューリング状態が活性化されていない場合、前記超える場合、現在の期間内で半永続スケジューリングを採用せずにリソースを割り当て、超えない場合、現在の期間内で半永続スケジューリングを採用してリソースを割り当てるステップは、具体的に、超える場合、前記現在の期間内で前記半永続スケジューリング状態を活性化させず、動的スケジューリングを採用してリソースを割り当て、超えない場合、前記現在の期間内で前記半永続スケジューリング状態を活性化させ、半永続スケジューリングを採用してリソースを割り当てるステップを含む。
【００１１】
本発明の実施例の他の態様によれば、履歴期間内で動的トラフィックが動的スケジューリングにより生成して累積した動的トラフィック統計情報を取得する情報取得モジュールと、前記情報取得モジュールが取得した動的トラフィック統計情報が所定の閾値を超えるか否かを判断する情報判断モジュールと、前記情報判断モジュールが超えると判断する場合、現在の期間内で半永続スケジューリングを採用せずにリソースを割り当て、超えないと判断する場合、現在の期間内で半永続スケジューリングを採用してリソースを割り当てるスケジューリング制御モジュールと、を備える半永続スケジューリングの制御装置がさらに提供される。
【００１２】
本発明の一実施例において、前記動的トラフィック統計情報は、動的スケジューリング新伝送回数、及び動的スケジューリング新伝送トラフィックデータ量のうちの少なくとも１つを含み、前記情報取得モジュールは、前記現在の期間に隣接する１つ前の履歴期間内で動的トラフィックが動的スケジューリングにより生成して累積した動的トラフィック統計情報を取得するように配置される。
【００１３】
本発明の一実施例において、前記情報判断モジュールは、前記情報取得モジュールが前記動的スケジューリング新伝送回数を取得する場合、前記動的スケジューリング新伝送回数が所定の第１の閾値を超えるか否かを判断するように配置され、前記情報判断モジュールは、前記情報取得モジュールが前記動的スケジューリング新伝送トラフィックデータ量を取得する場合、前記動的スケジューリング新伝送トラフィックデータ量が所定の第２の閾値を超えるか否かを判断するように配置され、前記情報判断モジュールは、前記情報取得モジュールが前記動的スケジューリング新伝送トラフィックデータ量及び前記動的スケジューリング新伝送トラフィックデータ量を取得する場合、前記動的スケジューリング新伝送回数が所定の第１の閾値を超えるか否かのみを判断したり、前記動的スケジューリング新伝送トラフィックデータ量が所定の第２の閾値を超えるか否かのみを判断したり、前記動的スケジューリング新伝送回数が所定の第１の閾値を超えるか否かも判断し、前記動的スケジューリング新伝送トラフィックデータ量が所定の第２の閾値を超えるか否かも判断したりするように配置される。
【００１４】
本発明の一実施例において、前記履歴期間内で半永続スケジューリング状態がすでに活性化された場合、前記スケジューリング制御モジュールは、前記情報判断モジュールが超えると判断する場合、前記現在の期間内で半永続スケジューリング状態を非活性化させ、半永続スケジューリングリソースを解放し、動的スケジューリングを採用してリソースを割り当て、超えないと判断する場合、前記スケジューリング制御モジュールは、前記現在の期間内で前記半永続スケジューリング状態を保持し、半永続スケジューリングを採用してリソースを割り当てる。
【００１５】
本発明の一実施例において、前記履歴期間内で半永続スケジューリング状態が活性化されていない場合、前記スケジューリング制御モジュールは、前記情報判断モジュールが超えると判断する場合、前記現在の期間内で前記半永続スケジューリング状態を活性化させず、動的スケジューリングを採用してリソースを割り当て、超えないと判断する場合、前記現在の期間内で前記半永続スケジューリング状態を活性化させ、半永続スケジューリングを採用してリソースを割り当てる。
【発明の効果】
【００１６】
本発明によれば、半永続スケジューリングの制御方法及び装置が提供され、履歴期間内で動的トラフィックが動的スケジューリングにより生成して累積した動的トラフィック統計情報によって、半永続スケジューリング状態を有効にするか否かを制御することによって、半永続スケジューリングの使用の柔軟性を向上させ、システム複雑性を低下させるとともに、音声トラフィックのサービス品質が保証され、ＳＰＳの適用場面を柔軟に確定できる。
【図面の簡単な説明】
【００１７】
【図１】本発明の実施例１に提供された半永続スケジューリングの制御方法のフローチャートである。
【図２】本発明の実施例２に提供された半永続スケジューリングの制御装置の構造を示す図である。
【発明を実施するための形態】
【００１８】
以下、本発明の実施例の図面を併せて、本発明の実施例の技術手段を明確で完全に説明し、説明された実施例があくまでも本発明の一部の実施例にすぎず、全部の実施例ではないことは明らかである。本発明の実施例に基づき、当業者が創造的な動作をせずに得られた全ての他の実施例は、いずれも本発明の範囲に含まれる。
【００１９】
以下、具体的な実施形態によって図面を併せて本発明をさらに詳細に説明する。
実施例１
図１は、本発明の一実施例に提供された半永続スケジューリングの制御方法のフローチャートである。図１に示すように、この半永続スケジューリングの制御方法は、
Ｓ１０１：履歴期間内で動的トラフィックが動的スケジューリングにより生成して累積した動的トラフィック統計情報を取得するステップを含む。
【００２０】
具体的には、半永続スケジューリングの使用の柔軟性を向上させ、システム複雑性を低下させるために、履歴期間内で動的トラフィックが動的スケジューリングにより生成して累積した動的トラフィック統計情報によって、半永続スケジューリング状態を有効にするか否かを制御することができ、これによって、チャネルリソースを節約し、システムオーバーヘッドを低減させる目的を達成することができる。
【００２１】
本実施例において、上り動的トラフィック又は下り動的トラフィックに対して、両方が独立し、互いに干渉しないため、いずれもそれぞれ履歴期間内で上り動的トラフィック及び下り動的トラフィックが動的スケジューリングにより生成して累積した動的トラフィック統計情報によって、上り下りにそれぞれ作用できるので、本実施例の方法は上り下りを区分せず、上り動的トラフィック及び下り動的トラフィックのいずれに対しても適用可能である。この動的トラフィック統計情報は、動的トラフィックが動的スケジューリング中で生成して累積した情報であり、このような情報は、動的トラフィックが動的スケジューリング中で表現していった行動特徴を表示でき、動的スケジューリング新伝送回数、及び動的スケジューリング新伝送トラフィックデータ量のうちの少なくとも１つを含む。この動的トラフィック統計情報の取得方法については、現在の期間に隣接する１つ前の履歴期間内で動的トラフィックが動的スケジューリングにより生成して累積した動的スケジューリング新伝送回数及び／又は動的スケジューリング新伝送トラフィックデータ量を取得し、ここで、この履歴期間と現在の期間が連続する期間であり、即ち、現在の時間窓に隣接する１つ前の時間窓内の動的トラフィックの動的スケジューリング新伝送回数及び／又は動的スケジューリング新伝送トラフィックデータ量を取得し、例えば、現在の３ｓ内のリソーススケジューリング方法を確定するために、１つ前の３ｓ内の動的トラフィックの動的スケジューリングの動的スケジューリング新伝送回数及び／又は動的スケジューリング新伝送トラフィックデータ量を取得してもよく、又は、１つ前の３ｓ中の１ｓ毎の動的トラフィックの動的スケジューリングの動的スケジューリング新伝送回数及び／又は動的スケジューリング新伝送トラフィックデータ量を取得してもよいステップを含むが、これに限定されない。
【００２２】
図１に示すように、この半永続スケジューリングの制御方法は、
Ｓ１０２：トラフィック統計情報が所定の閾値を超えるか否かを判断するステップをさらに含む。
【００２３】
具体的には、履歴期間内でトラフィックが動的スケジューリングにより生成して累積した動的トラフィック統計情報を取得した直後に、この動的トラフィック統計情報が予め配置された所定の閾値を超えるか否かを判断でき、且つ異なる場面によって異なる数値を配置できる。動的トラフィック統計情報に対して判断を行い、動的トラフィック統計情報のいずれも所定の閾値を超えると判断すると、Ｓ１０３に進み、そうでなければ、Ｓ１０４に進む。
【００２４】
本実施例において、取得した動的トラフィック統計情報によって、動的トラフィック統計情報についての判断方法及び判断結果は、下記の方法のうちの１つを含むが、これに限定されない。
【００２５】
方法１：履歴期間内の動的トラフィックの動的スケジューリング新伝送回数を取得する場合、この動的スケジューリング新伝送回数が所定の第１の閾値Ｍを超えるか否かを判断し、超えると判断する場合、Ｓ１０３に進み、超えないと判断する場合、Ｓ１０４に進む。
【００２６】
方法２：履歴期間内の動的トラフィックの動的スケジューリング新伝送トラフィックデータ量を取得する場合、この動的スケジューリング新伝送トラフィックデータ量が所定の第２の閾値Ｎを超えるか否かを判断し、超えると判断する場合、Ｓ１０３に進み、超えないと判断する場合、Ｓ１０４に進む。
【００２７】
方法３：履歴期間内の動的トラフィックの動的スケジューリング新伝送回数及び動的スケジューリング新伝送トラフィックデータ量を取得する場合、下記の方法のうちの１つを含む。
（１）この動的スケジューリング新伝送回数が所定の第１の閾値Ｍを超えるか否かのみを判断し、超えると判断する場合、Ｓ１０３に進み、超えないと判断する場合、Ｓ１０４に進む。
（２）この動的スケジューリング新伝送トラフィックデータ量が所定の第２の閾値Ｎを超えるか否かのみを判断し、超えると判断する場合、Ｓ１０３に進み、超えないと判断する場合、Ｓ１０４に進む。
（３）この動的スケジューリング新伝送回数が所定の第１の閾値Ｍを超えるか否かも判断し、この動的スケジューリング新伝送トラフィックデータ量が所定の第２の閾値Ｎを超えるか否かも判断し、動的スケジューリング新伝送回数及び動的スケジューリング新伝送トラフィックデータ量のうちの１つでも所定の閾値を超えると、Ｓ１０３に進み、そうでなければ、Ｓ１０４に進み、即ち、動的スケジューリング新伝送回数及び動的スケジューリング新伝送トラフィックデータ量のいずれもが所定の閾値を超えない場合のみに、Ｓ１０４に進み、そうでなければ、Ｓ１０３に進む。
【００２８】
図１に示すように、この半永続スケジューリングの制御方法は、
Ｓ１０３：現在の期間内で半永続スケジューリングを採用せずにリソースを割り当てるステップをさらに含む。
【００２９】
具体的には、動的トラフィック統計情報が所定の閾値を超えると判断する場合、現在の期間内で半永続スケジューリングを採用せずにリソースを割り当て、履歴期間内のリソーススケジューリング方法によって、その具体的な制御方法は、下記の方法のうちの１つを含む。
【００３０】
方法１：履歴期間内で半永続スケジューリング状態がすでに活性化された場合、現在の期間内でこの半永続スケジューリング状態を非活性化させ、半永続スケジューリングリソースを解放し、動的スケジューリングを採用してリソースを割り当てる。
【００３１】
方法２：履歴期間内で半永続スケジューリング状態が活性化されていない場合、現在の期間内でこの半永続スケジューリング状態を活性化させず、動的スケジューリングを採用してリソースを割り当てる。
【００３２】
なお、音声トラフィックが動的スケジューリングに参加する場合、音声トラフィックの優先度が高いため、動的スケジューリングをする時には音声トラフィックを優先的にパッケージングし、第１順位で音声トラフィックのサービス品質を保証するので、動的スケジューリングが音声トラフィックに影響を与えるおそれがない。
【００３３】
図１に示すように、この半永続スケジューリングの制御方法は、
Ｓ１０４：現在の期間内で半永続スケジューリングを採用してリソースを割り当てるステップをさらに含む。
【００３４】
具体的には、動的トラフィック統計情報が所定の閾値を超えないと判断する場合、現在の期間内で半永続スケジューリングを採用してリソースを割り当て、履歴期間内のリソーススケジューリング方法によって、その具体的な制御方法は、下記の方法を含む。
【００３５】
方法１：履歴期間内で半永続スケジューリング状態がすでに活性化された場合、現在の期間内でこの半永続スケジューリング状態を保持し、半永続スケジューリングを採用してリソースを割り当てる。
【００３６】
方法２：履歴期間内で半永続スケジューリング状態が活性化されていない場合、現在の期間内でこの半永続スケジューリング状態を活性化させ、半永続スケジューリングを採用してリソースを割り当てる。
【００３７】
半永続スケジューリングを採用してリソースを割り当てることによって、ＶｏＩＰトラフィックのみがある場合、又は、ＶｏＩＰトラフィック以外に少量の非ＶｏＩＰトラフィックもある場合に、ＳＰＳスケジューリングを採用することで、スケジューリング目的をよく達成することができ、また大量のＰＤＣＣＨリソースが節約される。
【００３８】
実施例２
図２は、本発明の実施例２に提供された半永続スケジューリングの制御装置の構造を示す図である。図２に示すように、この半永続スケジューリングの制御装置は、履歴期間内で動的トラフィックが動的スケジューリングにより生成して累積した動的トラフィック統計情報を取得する情報取得モジュール１と、情報取得モジュール１が取得した動的トラフィック統計情報が所定の閾値を超えるか否かを判断する情報判断モジュール２と、情報判断モジュール２が超えると判断する場合、現在の期間内で半永続スケジューリングを採用せずにリソースを割り当て、超えないと判断する場合、現在の期間内で半永続スケジューリングを採用してリソースを割り当てるスケジューリング制御モジュール３と、を備える。
【００３９】
好ましくは、情報取得モジュール１が取得した動的トラフィック統計情報は、動的スケジューリング新伝送回数、及び動的スケジューリング新伝送トラフィックデータ量のうちの少なくとも１つを含み、情報取得モジュール１は、現在の期間に隣接する１つ前の履歴期間内で動的トラフィックが動的スケジューリングにより生成して累積した動的トラフィック統計情報を取得するように配置される。
【００４０】
好ましくは、情報判断モジュール２は、情報取得モジュール１が動的スケジューリング新伝送回数を取得する場合、動的スケジューリング新伝送回数が所定の第１の閾値を超えるか否かを判断するように配置され、情報判断モジュール２は、情報取得モジュール１が動的スケジューリング新伝送トラフィックデータ量を取得する場合、動的スケジューリング新伝送トラフィックデータ量が所定の第２の閾値を超えるか否かを判断するように配置され、情報判断モジュール２は、情報取得モジュール１が動的スケジューリング新伝送回数及び動的スケジューリング新伝送トラフィックデータ量を取得する場合、動的スケジューリング新伝送回数が所定の第１の閾値を超えるか否かのみを判断したり、動的スケジューリング新伝送トラフィックデータ量が所定の第２の閾値を超えるか否かのみを判断したり、動的スケジューリング新伝送回数が所定の第１の閾値を超えるか否かも判断し、動的スケジューリング新伝送トラフィックデータ量が所定の第２の閾値を超えるか否かも判断したりするように配置される。
【００４１】
好ましくは、履歴期間内で半永続スケジューリング状態がすでに活性化された場合、スケジューリング制御モジュール３は、情報判断モジュール２が超えると判断する場合、現在の期間内で半永続スケジューリング状態を非活性化させ、半永続スケジューリングリソースを解放し、動的スケジューリングを採用してリソースを割り当て、超えないと判断する場合、スケジューリング制御モジュール３は、現在の期間内で半永続スケジューリング状態を保持し、半永続スケジューリングを採用してリソースを割り当てる。
【００４２】
好ましくは、履歴期間内で半永続スケジューリング状態が活性化されていない場合、スケジューリング制御モジュール３は、情報判断モジュール２が超えると判断する場合、現在の期間内で半永続スケジューリング状態を活性化させず、動的スケジューリングを採用してリソースを割り当て、超えないと判断する場合、現在の期間内で半永続スケジューリング状態を活性化させ、半永続スケジューリングを採用してリソースを割り当てる。
【００４３】
実施例３
本実施例では、新伝送回数の所定の第１の閾値Ｍを配置することを例として、如何に半永続スケジューリングを有効にするかを説明しており、他の類似の配置については、例えばトラフィックデータ量の所定の第２の閾値Ｎにも同様に適用される。
【００４４】
（１）統計ウィンドウの長さ（履歴時間窓）を１ｓと仮定する。ＬＴＥシステムの通常スケジューリングの場面で、ＱＣＩ１トラフィックのみを確立し、ＱＣＩ１トラフィックの関連パラメータを配置し、トラフィックの新伝送回数の所定の第１の閾値Ｍを１００に配置し、ＳＰＳスケジューリング参数を配置し、ここで、このＱＣＩ１トラフィックはＶｏＩＰトラフィックである。ＱＣＩ１トラフィックが確立に成功した後、ＶｏＩＰトラフィックの特殊性、すなわち、毎秒最多５０個のパケットのデータまでになるため、Ｍに到達できず、これによって、現在の時間窓内でＳＰＳ状態が成功的に活性化される。ＳＰＳ状態が活性化された後、動的スケジューリングの回数が０まで下がり、動的スケジューリング場面まで退出されない。このような場面で、ＳＰＳ状態でＰＤＣＣＨリソースが最大限に節約される。
【００４５】
（２）統計ウィンドウの長さ（履歴時間窓）を１ｓと仮定する。ＬＴＥシステムの通常スケジューリングの場面で、ＱＣＩ１トラフィック及びＱＣＩ８トラフィックを確立し、ＱＣＩ１、ＱＣＩ８トラフィックの関連パラメータを配置し、ＱＣＩ８の速度要件を５０Ｍに配置し、トラフィックの新伝送回数の所定の第１の閾値Ｍを１００に配置し、ＳＰＳスケジューリング参数を配置し、ここで、このＱＣＩ１トラフィックはＶｏＩＰトラフィックであり、ＱＣＩ８は非ＶｏＩＰトラフィックである。ＱＣＩ１、ＱＣＩ８トラフィックが確立に成功した後、ＶｏＩＰトラフィックの特殊性、すなわち、毎秒最多５０個のパケットのデータまでになるが、ＱＣＩ８トラフィックの速度要件が５０Ｍであるため、動的スケジューリングはＱＣＩ８トラフィックのスケジューリングを頻繁に行い、ほぼフルスケジューリングである。このとき、大量の動的スケジューリングがＭを超えたため、現在の時間窓内でＳＰＳ状態を活性化させできない。動的スケジューリングが同時にＱＣＩ１及びＱＣＩ８トラフィックをともにスケジューリングし、且つＱＣＩ１トラフィックの優先度が比較的高いため、ＱＣＩ１トラフィックのサービス品質を優先的に保証する。
【００４６】
（３）統計ウィンドウの長さ（履歴時間窓）を１ｓと仮定する。ＬＴＥシステムの通常スケジューリングの場面で、ＱＣＩ１トラフィック及びＱＣＩ８トラフィックを確立し、ＱＣＩ１、ＱＣＩ８トラフィックの関連パラメータを配置し、ＱＣＩ８の速度要件を５０ｋに配置し、トラフィックの新伝送回数の所定の第１の閾値Ｍを１００に配置し、ＳＰＳスケジューリング参数を配置し、ここで、このＱＣＩ１トラフィックはＶｏＩＰトラフィックであり、ＱＣＩ８は非ＶｏＩＰトラフィックである。ＱＣＩ１、ＱＣＩ８トラフィックが確立に成功した後、ＶｏＩＰトラフィックの特殊性、すなわち、毎秒最多５０個のパケットのデータまでになり、また、ＱＣＩ８トラフィックの速度要件がただ５０ｋであるため、ＱＣＩ１とＱＣＩ８トラフィックとを加算した動的スケジューリング回数でもＭを超えることができず、これによって、現在の時間窓内でＳＰＳ状態が成功的に活性化される。ＱＣＩ１トラフィックがＳＰＳによって処理されて、大量のＰＤＣＣＨリソースが節約され、少量のＱＣＩ８トラフィックが回数の比較的少ない動的スケジューリングによって処理されるため、消費されるＰＤＣＣＨリソースも比較的少ない。
【００４７】
（４）統計ウィンドウの長さ（履歴時間窓）を３ｓと仮定する。３ｓ窓内にある３つの１ｓの小窓が三回連続で１ｓ内にＭより小さい場合、現在の時間窓内でＳＰＳ状態が成功的に活性化される。ＬＴＥシステムの通常スケジューリングの場面で、ＱＣＩ１トラフィックのみを確立し、ＱＣＩ１トラフィックの関連パラメータを配置し、トラフィックの新伝送回数の所定の第１の閾値Ｍを１００に配置し、ＳＰＳスケジューリング参数を配置し、ここで、このＱＣＩ１トラフィックはＶｏＩＰトラフィックである。ＱＣＩ１トラフィックが確立に成功した後、ＶｏＩＰトラフィックの特殊性、毎秒最多５０個のパケットのデータまでになるため、Ｍに到達できない。三回連続でＭより小さい場合、現在の時間窓内でＳＰＳ状態が成功的に活性化される。ＳＰＳ状態が活性化された後、動的スケジューリングの回数が０まで下がり、動的スケジューリング場面まで退出されない。このような場面で、ＳＰＳ状態でＰＤＣＣＨリソースが最大限に節約される。
【００４８】
（５）統計ウィンドウの長さ（履歴時間窓）を３ｓと仮定する。ＬＴＥシステムの通常スケジューリングの場面で、ＱＣＩ１トラフィックのみを確立し、ＱＣＩ１トラフィックの関連パラメータを配置し、トラフィックの新伝送回数の所定の第１の閾値Ｍを３００に配置し、ＳＰＳスケジューリング参数を配置し、ここで、このＱＣＩ１トラフィックはＶｏＩＰトラフィックである。ＱＣＩ１トラフィックが確立に成功した後、ＶｏＩＰトラフィックの特殊性、毎秒最多５０個のパケットのデータまでになるため、３ｓ内にわたってＭに到達できず、即ち、３ｓ内にわたってＭより小さいとき、現在の時間窓内でＳＰＳ状態が成功的に活性化される。ＳＰＳ状態が活性化された後、動的スケジューリングの回数が０まで下がり、動的スケジューリング場面まで退出されない。このような場面で、ＳＰＳ状態でＰＤＣＣＨリソースが最大限に節約される。
【００４９】
以上の内容は、具体的な好ましい実施形態を併せた本発明のさらなる詳細な説明であり、本発明の具体的な実施がこれらの説明に限定されるものではない。当業者であれば、本発明の構想を逸脱しない範囲内で、さらに複数の簡単な演繹又は代替を行うことができ、これら全てが本発明の範囲に含まれるとみなすべきである。
【産業上の利用可能性】
【００５０】
上記のように、本発明の実施例に提供された半永続スケジューリングの制御方法及び装置によれば、半永続スケジューリングの使用の柔軟性を向上させ、システム複雑性を低下させるとともに、音声トラフィックのサービス品質が保証され、ＳＰＳの適用場面を柔軟に特定できるという効果を備える。
【図１】
0006363296.tif 000002
【図２】
0006363296.tif 000003